(57)【要約】【課題】光源ランプの不必要な照射を抑止することで、光源ランプの長寿命化を図ることができるプロジェクター、プロジェクターの輝度調節方法およびプログラムを提供する。【解決手段】照明光を照射する投写光学部７０と、音声信号を入力する音声信号入力部５１と、音声信号入力部５１の中から、音声出力の対象となる音声入力端子を選択する音声信号選択部５２と、音声信号選択部５２により選択された音声信号端子から入力された音声信号の有無または音量に応じて、投写光学部７０の光源ランプ７１の輝度を調節すべく、ランプ駆動部６５を制御する制御部５７と、を備えたものである。また、音声信号入力部５１には、マイク２０からの音声信号を入力するためのマイク入力端子５１ａが含まれる。【選択図】図１
2010197416.tif 000002
【特許請求の範囲】
【請求項１】
照明手段と、
音声信号を入力する音声信号入力手段と、
前記音声信号入力手段に入力される音声信号の入力の有無または音量に応じて、前記照明手段の輝度を調節する輝度調節手段と、
を備えたことを特徴とするプロジェクター。
【請求項２】
マイクを接続するマイク接続部をさらに備え、
前記音声信号入力手段は、前記マイクからの音声信号を入力することを特徴とする請求項１に記載のプロジェクター。
【請求項３】
前記輝度調節手段は、前記マイク接続部への前記マイクの接続の有無に応じて、前記照明手段の輝度を調節することを特徴とする請求項２に記載のプロジェクター。
【請求項４】
前記輝度調節手段は、前記マイクに設けられたＯＮ／ＯＦＦスイッチの状態に応じて、前記照明手段の輝度を調節することを特徴とする請求項３に記載のプロジェクター。
【請求項５】
前記輝度調節手段は、前記マイク接続の有無、前記ＯＮ／ＯＦＦスイッチの状態、前記音声信号の入力の有無または音量に応じて、段階的に輝度調節を行うことを特徴とする請求項４に記載のプロジェクター。
【請求項６】
前記ＯＮ／ＯＦＦスイッチがＯＦＦに切り替えられたとき、表示画面をミュート画面に切り替える画面切換手段をさらに備えたことを特徴とする請求項４または５に記載のプロジェクター。
【請求項７】
前記輝度調節手段は、前記照明手段に含まれる光源手段、光変調手段、遮光手段のうち、いずれか１以上の手段を利用して、前記照明手段の輝度を調節することを特徴とする請求項１ないし６のいずれか１項に記載のプロジェクター。
【請求項８】
プロジェクターが、
音声信号の入力の有無または音量を検出するステップと、
前記音声信号の入力の有無または音量の検出結果に応じて、照明手段の輝度を調節するステップと、を実行することを特徴とするプロジェクターの輝度調節方法。
【請求項９】
コンピューターに、請求項８に記載のプロジェクターの輝度調節方法における各ステップを実行させるためのプログラム。
【発明の詳細な説明】
【技術分野】
【０００１】
光源ランプから照明光を照射して画像投写を行うプロジェクター、プロジェクターの輝度調節方法およびプログラムに関するものである。
【背景技術】
【０００２】
プロジェクターに用いられる光源ランプは、２０００時間ないし４０００時間程度の寿命があることから、不要な時間は極力光源ランプを消灯または輝度を低下させるなど、寿命を延ばすための工夫が為されている。例えば、特許文献１には、画像信号が入力されていない無入力状態が一定期間続いた場合、光源ランプの輝度を低下させる方法が記載されている。
ところが、上記特許文献１に記載のプロジェクターは、画像信号の入力の有無に応じて、光源ランプの輝度を調節しているため、視聴者にとって意味のない表示状態（スノーノイズ状態など）であっても輝度調節が行われない。そこで、更なる光源ランプの長寿命化対策として、画像信号が入力されていても、スノーノイズ状態である場合は、光源ランプの輝度を低下させる方法が提案されている（例えば、特許文献２）。
【先行技術文献】
【特許文献】
【０００３】
【特許文献１】特開２００３−３３０１１５号公報
【特許文献２】特開２００６−１３３４０５号公報
【発明の概要】
【発明が解決しようとする課題】
【０００４】
ところで、プロジェクターの使用状況として、例えばプレゼンテーションを行う場合、資料をプレゼンモード（画像信号は入力されているが、資料は投写されていない状態）にして準備しておくことがある。ところが、このようなシチュエーションには、上記特許文献２の提案は対応できない。つまり、資料が投写されていない状態であっても、スノーノイズ状態には該当しないため、光源ランプの輝度調節が行われない。
このようなシチュエーションは、教育現場でも多く見受けられる。例えば、授業でプロジェクターを使用する場合、休み時間中に生徒達が準備をしておき、授業開始までプレゼンモードにしておく。この場合、準備が終わって授業開始までの間、画像投写は行われないが、光源ランプは点灯したままの状態となる。このように、プロジェクターの準備終了から投写開始までの間、不必要に光源ランプを点灯させておく状況は意外に多く、光源ランプの寿命を縮める要因の一つとなっていた。また、このような使用状況は、省エネの観点からも好ましくない。
【０００５】
本発明は、上記の問題点に鑑み、光源ランプの不必要な照射を抑止することで、光源ランプの長寿命化を図ることができるプロジェクター、プロジェクターの輝度調節方法およびプログラムを提供することを目的とする。
【課題を解決するための手段】
【０００６】
本発明のプロジェクターは、照明光を照射する照明手段と、音声信号を入力する音声信号入力手段と、音声信号入力手段に入力される音声信号の入力の有無または音量に応じて、照明手段の輝度を調節する輝度調節手段と、を備えたことを特徴とする。
【０００７】
本発明のプロジェクターの輝度調節方法は、プロジェクターが、音声信号の入力の有無または音量を検出するステップと、音声信号の入力の有無または音量の検出結果に応じて、照明手段の輝度を調節するステップと、を実行することを特徴とする。
【０００８】
これらの構成によれば、音声信号の入力の有無または音量に応じて、照明手段の輝度を調節するため、例えば、照明手段として光源ランプを用いて輝度を調節する場合は、音声入力がない間光源ランプの輝度を下げるなどの調整が可能となる。これにより、例えば、ビデオプレーヤーからの映像をプロジェクターで投写する場合、投写開始までは音声が入力されないため、プロジェクターの準備終了から投写開始までの間、光源ランプを高輝度で点灯させておく必要がなくなり、光源ランプの長寿命化および省電力化を図ることができる。
なお、輝度調節手段は、照明手段の増光／減光だけでなく、照明手段の消灯（輝度＝「０」にする調節）も可能であることが好ましい。
【０００９】
上記に記載のプロジェクターにおいて、マイクを接続するマイク接続部をさらに備え、音声信号入力手段は、マイクからの音声信号を入力することが好ましい。
【００１０】
この構成によれば、マイクからの音声信号の入力の有無または音量に応じて、照明手段の輝度を調節することができる。例えば、教育現場において、プロジェクターの画像投写に合わせてマイクによる説明を行う場合は、授業開始と共に音声が入力されるため、プロジェクターの準備終了から授業開始までの間における不必要な光源ランプの照射を抑えることができる。
なお、「マイク接続部」は、マイクを有線接続しても良いし、無線接続しても良い。
【００１１】
上記に記載のプロジェクターにおいて、輝度調節手段は、マイク接続部へのマイクの接続の有無に応じて、照明手段の輝度を調節することが好ましい。
【００１２】
この構成によれば、マイクからの音声信号の入力の有無または音量だけでなく、マイクの接続の有無によっても、照明手段の輝度を調節することができる。つまり、マイク接続「無」、マイク接続「有」＋音声入力「無」、マイク接続「有」＋音声入力「有」、といったように場合分けされた各状態に応じて、照明手段の輝度を調節することができる。
【００１３】
上記に記載のプロジェクターにおいて、輝度調節手段は、マイクに設けられたＯＮ／ＯＦＦスイッチの状態に応じて、照明手段の輝度を調節することが好ましい。
【００１４】
この構成によれば、音声信号の入力の有無または音量や、接続の有無だけでなく、ＯＮ／ＯＦＦスイッチの状態によっても、照明手段の輝度を調節することができる。つまり、マイク接続「無」、マイク接続「有」＋スイッチ「ＯＦＦ」、マイク接続「有」＋スイッチ「ＯＮ」＋音声入力「無」、マイク接続「有」＋スイッチ「ＯＮ」＋音声入力「有」といったように場合分けされた各状態に応じて、照明手段の輝度を調節することができる。
【００１５】
上記に記載のプロジェクターにおいて、輝度調節手段は、照明手段に含まれる光源手段、光変調手段、遮光手段のうち、いずれか１以上の手段を利用して、照明手段の輝度を調節することが好ましい。
【００１６】
この構成によれば、光源手段、光変調手段、遮光手段を利用して、照明手段の輝度を調節することができる。例えば、光源としては、光源ランプではなく、レーザーなどの固体光源であっても良い。また、光変調手段としては、透過型や反射型のライトバルブやマイクロミラーデバイスなどを利用することが考えられる。また、遮光手段としては、遮光フィルターなどを利用することが考えられる。
【００１７】
上記に記載のプロジェクターにおいて、輝度調節手段は、マイク接続の有無、ＯＮ／ＯＦＦスイッチの状態、音声信号の入力の有無または音量に応じて、段階的に輝度調節を行うことが好ましい。
【００１８】
この構成によれば、例えば、マイク接続「無」の場合輝度「最大」、マイク接続「有」＋スイッチ「ＯＦＦ」の場合輝度「最小」、マイク接続「有」＋スイッチ「ＯＮ」＋音声入力「無」の場合輝度「小」、マイク接続「有」＋スイッチ「ＯＮ」＋音声入力「有」の場合輝度「最大」、などの調節が可能である。
【００１９】
上記に記載のプロジェクターにおいて、ＯＮ／ＯＦＦスイッチがＯＦＦに切り替えられたとき、表示画面をミュート画面に切り替える画面切換手段をさらに備えたことが好ましい。
【００２０】
この構成によれば、例えば、プレゼンテーション終了時にＯＮ／ＯＦＦスイッチをＯＦＦに切り替えると、表示画面がミュート画面に切り替わるため、プロジェクターに接続されているコンピューターの画面を消灯するなどの後準備の様子が、発表者の意図に反してスクリーン上に投写されることを防止することができる。
【００２１】
本発明のプログラムは、コンピューターに、上記に記載のプロジェクターの輝度調節方法における各ステップを実行させるためのものであることを特徴とする。
【００２２】
このプログラムを用いることにより、光源ランプの不必要な照射を抑止することで、光源ランプの長寿命化を図ることができるプロジェクターの輝度調節方法を実現することができる。
【図面の簡単な説明】
【００２３】
【図１】第１実施形態に係るプロジェクターの構成を示すブロック図である。
【図２】第１実施形態に係るプロジェクターの輝度調節処理を示すフローチャートである。
【図３】第２実施形態に係るプロジェクターの輝度調節処理を示すフローチャートである。
【図４】輝度調節処理の変形例を示す図である。
【図５】マイクロミラーデバイス方式の照明手段の概念図である。
【発明を実施するための形態】
【００２４】
［第１実施形態］
以下、本発明の第１実施形態に係るプロジェクター、プロジェクターの輝度調節方法およびプログラムについて、図面を参照しながら説明する。図１は、プロジェクター１０の構成を示すブロック図である。同図に示すように、プロジェクター１０は、音声信号入力部５１、音声信号選択部５２、音声処理部５３、音声出力部５４、スピーカー５５、操作部５６、制御部５７、記憶部５８、画像信号入力部６１、画像信号選択部６２、画像処理部６３、ライトバルブ駆動部６４、ランプ駆動部６５、バスライン６９および投写光学部７０（照明手段）を備えている。
【００２５】
音声信号入力部５１は、パーソナルコンピューターやビデオプレーヤーなどの外部機器から、各種音声信号を入力するための複数の音声入力端子から成る。これら複数の音声入力端子には、マイク２０（マイクロホン）からの音声信号を、不図示のマイクケーブルを介して入力するマイク入力端子５１ａも含まれる。請求項における「音声信号入力手段」とは、音声信号入力部５１を指す。また、請求項における「マイク接続部」とは、マイク入力端子５１ａを指す。
【００２６】
マイク２０は、ＯＮ／ＯＦＦを切り替えるためのマイクスイッチ２１（ＯＮ／ＯＦＦスイッチ）を有しており、ユーザーの手動操作によって音声信号の入力の有無を切り替えられるようになっている。なお、マイク２０として、ワイヤレスマイクを用いることも可能である。
【００２７】
音声信号選択部５２は、音声信号入力部５１の中から、音声出力の対象となる音声入力端子を選択する。例えば、画像信号選択部６２によりコンピューター入力端子が選択されている場合は、コンピューター用の音声入力端子を選択し、ビデオ端子またはＳ−ビデオ端子が選択されている場合は、ビデオ用の音声入力端子を選択する。また、マイク入力端子５１ａにマイク２０が接続されている場合は、音声出力の対象として、当該マイク入力端子５１ａを選択する。
【００２８】
音声処理部５３は、音声信号選択部５２から出力された音声信号を入力し、出力特性を調整するための処理を施す。また、制御部５７からの指令に基づき、処理済みの音声信号を、音声出力部５４に出力する。
【００２９】
音声出力部５４は、増幅回路および音声出力端子を有し、音声処理部５３から音声信号を入力して、増幅処理後の音声信号を、本体内蔵のスピーカー５５または外部スピーカー３０に出力する。音声出力部５４は、音声出力端子に外部スピーカー３０が接続されている場合、音声出力先を外部スピーカー３０に切り替え、本体内蔵のスピーカー５５からの出力を停止する。
【００３０】
操作部５６は、ユーザーが各種設定および操作を行うためのものであり、プロジェクター１０本体に備えられた操作パネルやリモコン（いずれも図示省略）により構成される。操作部５６には、プロジェクター１０の電源状態を切り替えるための電源スイッチが含まれる。
【００３１】
制御部５７は、ＣＰＵ（Central  Processing  Unit）により構成され（図示省略）、バスライン６９を介して各部に対し信号の入出力を行うことで、プロジェクター１０全体を統括制御する。請求項における「輝度調節手段」とは、制御部５７および後述するランプ駆動部６５を指す。
【００３２】
本実施形態において、制御部５７は、マイク２０のマイク入力端子５１ａへの接続の有無、並びに音声信号選択部５２により選択されている音声入力端子への音声信号の入力の有無に応じて、光源ランプ７１の輝度を調節する。本実施形態では、特にマイク入力端子５１ａからの音声信号の有無に応じて、光源ランプ７１の輝度調節を行うものとする。詳細については、後述する。
【００３３】
記憶部５８は、制御部５７の制御に用いられる制御プログラムおよび制御データを記憶するＲＯＭ（Read  Only  Memory）や、作業領域として用いられるＲＡＭ（Random  Access  Memory）等により構成される（いずれも図示省略）。制御プログラムとしては、光源ランプ７１の輝度調節を行うための輝度調節プログラムが含まれる。また、制御データとしては、マイク２０の接続状態や音声入力状態によって場合分けされる各マイク状態と、光源ランプ７１のへの電力供給量（輝度レベル）と、を対応付けた輝度制御テーブルが含まれる。
【００３４】
画像信号入力部６１は、パーソナルコンピューターやビデオプレーヤーなどの外部機器から、各種画像信号を入力するための複数の画像入力端子から成る。また、画像信号選択部６２は、画像信号入力部６１の中から、画像出力の対象となる画像入力端子を選択する。
【００３５】
画像処理部６３は、画像信号選択部６２から出力された画像信号を入力し、所定の画像処理を施して、ライトバルブ駆動部６４に出力する。所定の画像処理としては、キーストーン歪補正処理、画質調整処理、画像サイズ調整処理、ガンマ補正処理、画像合成（重畳）処理等が含まれる。
【００３６】
ライトバルブ駆動部６４は、液晶ドライバーであり、液晶ライトバルブ７２の各画素に、画像信号に応じた駆動電圧を印加することにより、各画素の光透過率を設定する。
【００３７】
ランプ駆動部６５は、放電発光型のランプである光源ランプ７１を点灯するために高電圧を発生して放電回路を形成するイグナイタ部と、点灯後の安定した点灯状態を維持するためのバラスト回路と、を有している（いずれも図示省略）。なお、光源ランプ７１としては、超高圧水銀ランプ、メタルハライドランプ、キセノンランプ等を採用可能である。また、これら放電発光型のランプに限らず、発光ダイオード、有機ＥＬ素子、シリコン発光素子等の各種自己発光素子を採用しても良い。
【００３８】
投写光学部７０は、スクリーンＳＣ上に、画像を投写表示するものであり、光源ランプ７１と、３原色に対応した３つの液晶ライトバルブ７２と、投写レンズ７３と、を有する。各液晶ライトバルブ７２は、一対の透明基板間に液晶が封入された液晶パネル等によって構成される。各透明基板の内面には、液晶に対して微小領域毎に駆動電圧を印加可能な透明電極（画素）がマトリクス状に形成されている。
【００３９】
光源ランプ７１から射出された照明光は、不図示の光分離光学系によって、Ｒ，Ｇ，Ｂの色光に分離された後、各色用の液晶ライトバルブ７２を透過することによって変調される。また、変調された画像光は、不図示の光合成光学系（ダイクロイックプリズムなど）により画素毎に合成されてカラー画像化され、当該カラー画像化された画像光が投写レンズ７３によって投写されることにより、スクリーンＳＣ上に投写画像が表示される。
【００４０】
次に、図２を参照し、プロジェクター１０の輝度調節処理について説明する。本例では、光源ランプ７１の輝度レベルを、「最大」、「最小」、「消灯」のいずれかに調節する場合を示す。プロジェクター１０は、操作部５６に設けられた電源スイッチがＯＮ操作されると、まず、マイク入力端子５１ａにマイク２０（マイクケーブル）が接続されているか否かを判別する（Ｓ１１）。ここで、マイク２０が接続されている場合は（Ｓ１１：Ｙｅｓ）、ランプ駆動部６５により、光源ランプ７１を輝度レベル「最小」にして点灯する（Ｓ１２）。また、マイク２０が接続されていない場合は（Ｓ１１：Ｎｏ）、光源ランプ７１を輝度レベル「最大」にして点灯する（Ｓ１３）。つまり、マイク２０が接続されていない場合は、マイク状態に応じた輝度調節（光源ランプ７１の省電力処理）を行わないものとして、通常点灯させる。
【００４１】
マイク２０が接続されている場合は（Ｓ１１：Ｙｅｓ）、続いて音声信号の入力の有無を判別する（Ｓ１４）。ここで、音声信号が入力されている場合は（Ｓ１４：Ｙｅｓ）、光源ランプ７１を輝度レベル「最大」に調節する（Ｓ１５）。また、音声信号が入力されていない場合は（Ｓ１４：Ｎｏ）、光源ランプ７１を輝度レベル「最小」に調節する（Ｓ１６）。つまり、音声信号が入力されるまでは、輝度レベル「最小」の状態を保持し、音声信号の入力に伴って輝度レベル「最大」に輝度切り替えを行う。
【００４２】
なお、「音声信号の入力の有無」とは、音量の大小を問わず、マイクスイッチ２１がＯＮ状態の場合、音声信号の入力「有」と判定しても良いし、所定の閾値以上の音量を検知した場合に、音声信号の入力「有」と判定しても良い。
【００４３】
その後、電源ＯＦＦ操作が行われたか否かを判別し（Ｓ１７）、行われた場合は（Ｓ１７：Ｙｅｓ）、光源ランプ７１を消灯する（Ｓ１８）。また、電源ＯＦＦ操作が行われていない場合は（Ｓ１７：Ｎｏ）、Ｓ１１以降の処理を繰り返す。すなわち、電源ＯＮ状態においては（光源ランプ７１の輝度調節に関する特別な操作が行われない限り）、マイク接続状態および音声信号の入力状態に応じて、光源ランプ７１の輝度調節処理を継続する。
【００４４】
以上説明したとおり、本実施形態によれば、マイク接続状態および音声信号の入力状態に応じて、光源ランプ７１の輝度を調節するため、例えば、マイク２０が接続されており且つ音声入力がない場合は光源ランプ７１の輝度を下げるなどの調整が可能となる。これにより、プロジェクター１０の準備終了からプレゼンテーション開始までの間、光源ランプ７１を高輝度で点灯させておく必要がなくなることから、不必要な光源ランプ７１の照射を抑えることができ、ひいては、光源ランプ７１の長寿命化および省電力化を図ることができる。
【００４５】
［第２実施形態］
次に、図３を参照し、本発明の第２実施形態について説明する。上記の実施形態では、音声信号の入力状態に応じて、光源ランプ７１の輝度を調節したが、本実施形態では、マイクスイッチ２１の状態に応じて、光源ランプ７１の輝度を調節する点で異なる。また、制御部５７は、マイクスイッチ２１の状態に応じて、スクリーンＳＣ上に投写表示する表示画面の切り替え制御も行う。以下、第１実施形態と異なる点のみ説明する。
【００４６】
本実施形態において、制御部５７は、マイク２０のマイク入力端子５１ａへの接続の有無、並びにマイクスイッチ２１の状態（スイッチＯＮおよびスイッチＯＦＦのいずれか）に応じて、光源ランプ７１の輝度を調節する。また、制御部５７は、マイクスイッチ２１がＯＦＦに切り替えられたとき、表示画面をミュート画面（例えば、青ベタ画面）に切り替えるように、ライトバルブ駆動部６４を制御する。請求項における「画面切換手段」とは、制御部５７およびライトバルブ駆動部６４を指す。
【００４７】
図３は、本実施形態に係るプロジェクター１０の輝度調節処理を示すフローチャートである。本実施形態でも、第１実施形態と同様に、光源ランプ７１の輝度レベルを、「最大」、「最小」、「消灯」のいずれかに調節する場合について例示する。プロジェクター１０は、電源投入に伴って、まずマイク入力端子５１ａにマイク２０が接続されているか否かを判別し（Ｓ２１）、接続されている場合は（Ｓ２１：Ｙｅｓ）、光源ランプ７１を輝度レベル「最小」にして点灯し（Ｓ２２）、接続されていない場合は（Ｓ２１：Ｎｏ）、光源ランプ７１を輝度レベル「最大」にして点灯する（Ｓ２３）。
【００４８】
マイク２０が接続されている場合は（Ｓ２１：Ｙｅｓ）、マイクスイッチ２１の状態を判別する（Ｓ２４）。ここで、マイクスイッチ２１がＯＮ状態の場合は（Ｓ２４：Ｙｅｓ）、光源ランプ７１を輝度レベル「最大」に調節し（Ｓ２５）、表示画面を通常画面とする（Ｓ２６）。つまり、Ｓ２６では、元々通常画面を投写していた場合は、そのままの表示状態を維持し、元々ミュート画面を投写していた場合は、それを解除する。
【００４９】
一方、マイクスイッチ２１がＯＦＦ状態の場合は（Ｓ２４：Ｎｏ）、光源ランプ７１を輝度レベル「最小」に調節し（Ｓ２７）、表示画面をミュート画面とする（Ｓ２８）。つまり、Ｓ２８では、元々通常画面を投写していた場合は、ミュート画面に切り替え、元々ミュート画面を投写していた場合は、そのままの表示状態を維持する。
【００５０】
その後、電源ＯＦＦ操作が行われたか否かを判別し（Ｓ２９）、行われた場合は（Ｓ２９：Ｙｅｓ）、光源ランプ７１を消灯し（Ｓ３０）、行われていない場合は（Ｓ２９：Ｎｏ）、Ｓ２１以降の処理を繰り返す。
【００５１】
以上説明したとおり、本実施形態によれば、マイクスイッチ２１の操作に伴って輝度調節を行うため、ユーザーが意識的に輝度調節を行うことができる。また、プレゼンテーションの終了時や授業終了時には、通常マイクスイッチ２１をＯＦＦにするため、輝度調節のための特別な操作は不要であり、ユーザーに負担を与えることがない。さらに、マイクスイッチ２１をＯＦＦに切り替えると、表示画面がミュート画面に切り替わるため、例えば、プロジェクター１０に接続されているコンピューターの画面を消灯するなどの後準備の様子が、発表者の意図に反してスクリーンＳＣ上に投写されることを防止することができる。
【００５２】
［変形例］
なお、上記の実施形態では、光源ランプ７１の輝度レベルを、「最大」、「最小」、「消灯」のいずれかに調節する場合について例示したが、さらに多段階に調節可能としても良い。例えば、図４（ａ）は、マイク２０の接続状態、マイクスイッチ２１の状態および音声信号の入力の有無に応じて、光源ランプ７１の輝度レベルを調節する場合の輝度制御テーブルを示したものである。輝度レベルは、「０」〜「３」で調節可能であり、輝度レベル「０」＝消灯、輝度レベル「１」＝最小、輝度レベル「３」＝最大、であるものとする。
【００５３】
図示の例では、マイク接続「無」の場合に輝度レベル「３」、マイク接続「有」＋スイッチ「ＯＦＦ」の場合に輝度レベル「１」、マイク接続「有」＋スイッチ「ＯＮ」＋音声入力「無」の場合に輝度レベル「２」、マイク接続「有」＋スイッチ「ＯＮ」＋音声入力「有」の場合に輝度レベル「３」、といった調節が可能である。
【００５４】
また、図４（ｂ）に示すように、音声信号の入力の有無ではなく、音量に応じて、輝度調節を行うようにしても良い。ここでは、音量を、「大」、「中」、「小」の３段階で検出可能であるものとする。この場合、同図に示すように、マイク接続「無」の場合に輝度レベル「３」、マイク接続「有」＋スイッチ「ＯＦＦ」の場合、およびマイク接続「有」＋スイッチ「ＯＮ」＋音量「小」の場合に輝度レベル「１」、マイク接続「有」＋スイッチ「ＯＮ」＋音量「中」の場合に輝度レベル「２」、マイク接続「有」＋スイッチ「ＯＮ」＋音量「大」の場合に輝度レベル「３」、といった調節が可能である。
【００５５】
また、上記の各実施形態では、マイク２０の接続状態、マイクスイッチ２１の状態、音声信号の入力の有無、音量等によって場合分けされる各マイク状態に応じて、光源ランプ７１の輝度調節を行うものとしたが、各マイク状態に対応した輝度レベルをユーザー側で変更可能としても良い。この場合、環境設定メニュー画面をスクリーンＳＣ上にＯＳＤ表示し、操作部５６の操作によって変更可能とすることが好ましい。この構成によれば、ユーザーのニーズに応じて、各状態に対応した輝度レベルを設定できるため、利便性が良い。
【００５６】
また、上記の各実施形態では、マイク入力端子５１ａから入力された音声信号に基づいて輝度調節を行うものとしたが、音声供給可能な他の外部機器（パーソナルコンピューターやビデオプレーヤーなど）からの音声信号（音声信号の入力の有無または音量）に基づいて輝度調節を行うようにしても良い。これにより、例えば、ビデオプレーヤーからの映像をプロジェクター１０で投写する場合、投写開始までは音声が入力されないため、プロジェクター１０の準備終了から投写開始までの間、光源ランプ７１を高輝度で点灯させておく必要がなくなり、光源ランプ７１の長寿命化および省電力を図ることができる。
【００５７】
また、他の外部機器の音声入力端子への接続の有無に応じて輝度調節を行うようにしても良い。さらに、音声信号入力部５１に、マイク２０と、音声供給可能な他の外部機器と、の両方が接続されている場合は、マイク２０の接続状態やマイク２０からの音声入力状態によって輝度調節を行い、マイク２０が接続されていない場合は、他の外部機器の接続状態や他の外部機器からの音声入力状態によって輝度調節を行うようにしても良い。
【００５８】
また、上記の実施形態では、光源ランプ７１を用いて、投写光学部７０（照明手段）の輝度を調節したが、光源として、ＬＥＤやレーザーなどの固体光源を用いても良い。また、液晶ライトバルブ７２を利用し、ＡＶミュートにすることで、輝度調節しても良い。さらに、遮光フィルターを光源ランプ７１の前、液晶ライトバルブ７２の前もしくは投写レンズ７３の前など、光を遮光できる場所に配置することで、輝度調節しても良い。遮光フィルターは、光を遮光できればその構成は特に問わないが、一例として遮光回転ホイールを設け、当該ホイールを複数種類の透過度（フィルター）で構成し、条件に応じてホイールを制御する構成や、複数種類のフィルターを挿入する構成としても良い。
【００５９】
また、上記の実施形態では、投射型のプロジェクター１０を例示したが、透過型のスクリーンを一体的に備えたリアプロジェクターにも、本発明を適用可能である。また、表示原理についても、反射型液晶表示方式やＣＲＴ表示方式やマイクロミラーデバイス方式（ライトスイッチ表示方式）など、他の方式を採用しても良い。
【００６０】
なお、マイクロミラーデバイス方式の場合は、以下のような輝度調整が可能である。図５は、マイクロミラーデバイス方式の照明手段８０を示す概念図である。マイクロミラーデバイス（ＤＭＤ８７：Digital  Micromirror  Device，「ＤＭＤ」は、米国テキサス・インスツルメンツ社の登録商標である）は、微小ミラーの集合体で構成されている。したがって、ＤＭＤ８７を構成する各微小ミラーを制御し、角度調整することにより、光量調節が可能である。また、マイクロミラーデバイス方式の場合にも、液晶表示方式の場合と同様に、光源ランプ８１や各種フィルターを用いて輝度を調節するようにしても良い。
【００６１】
また、上記の実施形態に示したプロジェクター１０における各部をプログラムとして提供することが可能である。また、そのプログラムを記録媒体（図示省略）に格納して提供することも可能である。すなわち、コンピューターを、本実施形態のプロジェクター１０の各部として機能させるためのプログラム、およびそれを記録した記録媒体も、本発明の権利範囲に含まれるものである。その他、各実施形態を組み合わせるなど、本発明の要旨を逸脱しない範囲で、適宜変更が可能である。
【符号の説明】
【００６２】
１０…プロジェクター  ５１…音声信号入力部  ５２…音声信号選択部  ５３…音声処理部  ５４…音声出力部  ５５…スピーカー  ５６…操作部  ５７…制御部  ５８…記憶部  ６１…画像信号入力部  ６２…画像信号選択部  ６３…画像処理部  ６４…ライトバルブ駆動部  ６５…ランプ駆動部  ７０…投写光学部  ＳＣ…スクリーン
【図１】
2010197416.tif 000003
【図２】
2010197416.tif 000004
【図３】
2010197416.tif 000005
【図４】
2010197416.tif 000006
【図５】
2010197416.tif 000007